(57)【要約】      （修正有）【課題】簡単かつコンパクトに、閃光発光手段および長時間発光可能な発光手段から照射される照射光の照度低下を低減するようにした発光装置を提供する。【解決手段】ストロボ等の閃光発光手段２から照射された照射光と長時間発光可能な発光手段３から照射された照射光とを反射手段１２を介して同一の発光窓１１へ案内し、該同一の発光窓１１から前記閃光型発光手段２の照射光と前記発光手段３の照射光とを装置１０外部へ照射させるようにした。  【選択図】  図２
2007065173.tif 000002
【特許請求の範囲】
【請求項１】
ストロボ等の閃光発光手段から照射された照射光と、長時間発光可能な発光手段から照射された照射光とを反射手段を介して同一の発光窓へ案内し、
該同一の発光窓から前記閃光型発光手段の照射光と前記発光手段の照射光とを装置外部へ照射させるようにしたことを特徴とする発光装置。
【請求項２】
前記反射手段は、前記閃光発光手段から照射された照射光を所定の照射角で前記一つの発光窓へ向け反射させる第１のプリズム反射面と、前記ＬＥＤ発光手段から照射された照射光を所定の照射角で前記一つの発光窓へ向け反射させる第２のプリズム反射面とを有するプリズムであることを特徴とする請求項１に記載の発光装置。
【請求項３】
前記反射手段は、前記閃光発光手段から照射された照射光を所定の照射角で前記一つの発光窓へ向け反射させる第１の反射面と、前記ＬＥＤ発光手段から照射された照射光を所定の照射角で前記一つの発光窓へ向け反射させる第２の反射面とを有する反射板であることを特徴とする請求項１に記載の発光装置。
【発明の詳細な説明】
【技術分野】
【０００１】
この発明は、発光装置に関し、特にストロボ等の従来から使用されているいわゆる閃光発光手段と長時間発光可能な発光手段の双方を使用するようにした発光装置に関する。
【背景技術】
【０００２】
ストロボ等のいわゆる瞬時発光の閃光発光手段と、比較的長時間発光が可能な、例えばＬＥＤ（発光ダイオード）発光手段の双方を使用する物品としては、従来から、ＣＣＤ等の撮像素子を使用したデジタルカメラが知られている。
【０００３】
このデジタルカメラでは、従来から通常の静止画像（スチル画像）を撮像するスチルモードと、短時間ではあるが動画像を撮像することが出来るムービーモードとを選択できるものが提供されている。
【０００４】
一方、このようなデジタルカメラでも、暗所でのスチル撮影には、ストロボ等の閃光発光手段を使用し、また暗所での動画撮影では、長時間発光しなければならないから、閃光発光手段を使用することはできず、その代わり上述した長時間発光が可能なＬＥＤ発光手段を使用している。
【０００５】
このように、上述した閃光発光手段とＬＥＤ型発光手段の双方をデジタルカメラ１に使用する場合は、デジタルカメラ１の正面図を示す図７のように、通常、閃光発光手段２とＬＥＤ発光手段３とをカメラボディー４の正面５のうち、それぞれ異なる場所にその発光窓２ａ、３ａを配置するしかない。
【０００６】
一方、上述したデジタルカメラ１では、主として静止画像を撮像することが第１目的となることから、閃光発光手段２を最も撮像レンズ７に対してパララックス（視差）が出にくい位置に設け、ＬＥＤ発光手段３はそれ以外の位置に設けるようにしている。
【０００７】
このことは言い換えればＬＥＤ発光手段３は、閃光発光手段２よりも撮像レンズ７の光軸に対してずれた位置に配設せざるを得ないことを示している。
【発明の開示】
【発明が解決しようとする課題】
【０００８】
ところで、図７に示すように従来の発光装置では、ＬＥＤ型発光手段３は、閃光発光手段２よりも撮像レンズ７の光軸に対してずれた位置に配設されるから、この場合、撮像レンズ７の画角をカバーするためには発光面３ａから照射される照射光の照射角を一層広げなければならず、そうすると照射角を一層広角にするためＬＥＤ型発光手段３による照射照度が一層低下し良好な動画像を撮像することができなくなる虞がある。
【０００９】
この発明は、上述した事情に鑑み、簡単かつコンパクトに、閃光発光手段および長時間発光可能な発光手段から照射される照射光の照度低下を可及的に低減するようにした発光装置を提供することを目的とする。
【課題を解決するための手段】
【００１０】
上述した課題を解決するため、この発明では、ストロボ等の閃光発光手段から照射された照射光と長時間発光可能な発光手段から照射された照射光とを反射手段を介して同一の発光窓へ案内し、該同一の発光窓から前記閃光型発光手段の照射光と前記発光手段の照射光とを装置外部へ照射させるようにしている。
【発明の効果】
【００１１】
上述した、本願発明の発光装置によると、反射手段によって閃光発光手段の照射光と長時間発光可能な発光手段の照射光とをそれぞれ共用の同一の発光窓へ案内し、その同一の発光窓から双方の照射光をそれぞれ装置外部へ照射させるようにしたから、閃光発光手段及び発光手段の各照射光の照射角が同一となって、特に発光手段の照射角を必要以上に広げないで済み、このため発光手段による照射照度の低下を可及的に低減させることが出来る。また本願発明の発光装置では複数の発光窓を持たないから部品点数及び装置全体の省スペース化が図られ、このため一層小型でしかもコンパクトな発光装置を提供することが出来る。  
【発明を実施するための最良の形態】
【００１２】
以下、この発明に係る発光装置の一実施例を詳述する。
【００１３】
図１は、この発明に係る発光装置１０を装着したデジタルカメラ２０の正面図で、図７と同一部分は同一符号で示す。
【００１４】
このデジタルカメラ２０のボディー正面５には、一つの発光窓１１が配設されている。
【００１５】
一方、この発光窓１１のＡＡ要部拡大断面図で示す図２のように、カメラボディー２１内には、本願発明に係る発光装置１０が配設されている。
【００１６】
この発光装置１０は、所定の間隔を設け上下方向へ向け互いに対向するように配設された、閃光発光手段２とＬＥＤ発光手段３とから構成され、その間に反射手段１２が配設されている。
【００１７】
上述した、発光装置１０のうち閃光発光手段２は、図面垂直方向へ向け配設された円筒形状の発光管２ｂとその発光管２ｂから照射された照射光を反射手段１２へ向け集光する円弧形状の反射板２ｃとから構成されている。
【００１８】
また、ＬＥＤ発光手段３は１個乃至は複数個のＬＥＤを配列したＬＥＤ発光モジュール３ｂと該ＬＥＤ発光モジュール３ｂから照射された照射光を反射手段１２へ向け集光する集光レンズ系３ｃとから構成されている。
【００１９】
一方、上述した反射手段１２は、閃光発光手段２から照射された照射光を所定の照射角で一つの発光窓１１へ向け反射させる第１のプリズム反射面１３ａと、ＬＥＤ発光手段３から照射された照射光を所定の照射角で前記一つの発光窓１１へ向け反射させる第２のプリズム反射面１３ｂとを有するブロック状のプリズム１３により構成されている。
【００２０】
次に、上述した発光装置１０の作用を説明する。
【００２１】
図３に示すように、デジタルカメラ２０によるスチルモードの際に、閃光発光手段２の発光管２ｂから反射手段１２へ向け矢印Ｂで示す照射光が照射されると、その照射光Ｂは反射板２ｃにより、反射手段１２のプリズム１３を構成する第１のプリズム反射面１３ａへ照射され、さらにこの第１のプリズム反射面１３ａにより共用の発光窓１１へ向け反射して案内され、この発光窓１１から前記閃光型発光手段２の照射光Ｂは発光装置１０の外部へ照射されることとなる。
【００２２】
一方、図４に示すように、デジタルカメラ２０によるムービーモードの際に、ＬＥＤ発光手段３のＬＥＤ発光モジュール３ｂから反射手段１２へ向け矢印Ｃで示す照射光が照射されると、その照射光Ｃは集光レンズ系３ｃにより反射手段１２のプリズム１３を構成する第２のプリズム反射面１３ｂへ向け照射され、さらにこの第１のプリズム反射面１３ｂによりにより共用の発光窓１１へ向け反射して案内され、この発光窓１１から前記ＬＥＤ発光手段３の照射光Ｃは発光装置１０の外部へ照射されることとなる。
【００２３】
即ち、上述した発光装置１０によると、反射手段１２によって閃光発光手段２の照射光ＢとＬＥＤ発光手段３の照射光Ｃとをそれぞれ共用の同一の発光窓１１へ案内し、その同一の発光窓１１から双方の照射光Ｂ，Ｃをそれぞれ発光装置１０の外部へ照射させるから、閃光発光手段２及びＬＥＤ発光手段３の各照射光Ｂ，Ｃの照射角を同一にすることが出来、また発光装置１０の配設位置を撮像レンズ７に対してパララックス（視差）が出にくい位置に設けることにより特にＬＥＤ発光手段３の照射角を必要以上に広げないで済み、このためＬＥＤ発光手段３による照射照度の低下を可及的に低減させ、これにより良好な動画像を撮像することが出来る。また上述した発光装置１０では共用の一つの発光窓１１のみで従来の如く複数の発光窓を持たないから部品点数及び装置全体の省スペース化が図られ、このため一層小型でしかもコンパクトな発光装置を提供することが出来ることとなる。
【００２４】
なお、上記実施例では、反射手段１２を、閃光発光手段２から照射された照射光を所定の照射角で一つの発光窓１１へ向け反射させる第１のプリズム反射面１３ａと、ＬＥＤ発光手段３から照射された照射光を所定の照射角で一つの発光窓１１へ向け反射させる第２のプリズム反射面１３ｂとを有するブロック状のプリズム１３により構成するようにしたが、この発明は上記実施例に限定されることなく、図３と同一部分を同一符合で示す図５のように、反射手段１２を閃光発光手段２から照射された照射光Ｂを所定の照射角で一つの発光窓１１へ向け反射させる第１の反射面１４ａと、ＬＥＤ発光手段３から照射された照射光Ｃを所定の照射角で一つの発光窓１１へ向け反射させる第２の反射面１４ｂとを有する反射板１４により構成しても良い。なお上述した反射面１４ａ，１４ｂはアルミ蒸着面等により構成されている。
【００２５】
この図５に示す反射手段１２を用いても、デジタルカメラ２０によるスチルモードの際に、閃光発光手段２の発光管２ｂから反射手段１２へ向け矢印Ｂで示す照射光が照射されると、その照射光Ｂは、反射手段１２の反射板１４を構成する第１の反射面１４ａにより共用の発光窓１１へ向け案内され、この発光窓１１から前記閃光型発光手段２の照射光Ｂは発光装置１０の外部へ照射されることとなる。
【００２６】
また、図６で示すように、デジタルカメラ２０によるムービーモードの際に、ＬＥＤ発光手段３のＬＥＤ発光モジュール３ｂから反射手段１２へ向け矢印Ｃで示す照射光が照射されると、その照射光Ｃは、反射手段１２の反射板１４を構成する第２の反射面１４ｂにより共用の発光窓１１へ向け案内され、この発光窓１１から前記ＬＥＤ発光手段３の照射光Ｃは発光装置１０の外部へ照射されることとなる。
【００２７】
なお、上記各実施例では、本願発明に係る発光装置１０をデジタルカメラ２０内に予め内臓したものについて詳述したが、この発明は上記実施例に限定されることなく、デジタルカメラ２０とは独立した外付けの発光装置１０として適用しても良く、さらにはデジタルカメラ２０以外の各種の物品、例えばデジタルビデオカメラ等の発光装置として適用するようにしても良いことはもちろんである。
【００２８】
また、上記実施例では発光手段として、ＬＥＤ発光手段３を取り上げたが、この発明は上記実施例に限定されることなく例えば長時間発光可能な発光手段３としてランプ光源を用いても良い。  
【産業上の利用可能性】
【００２９】
以上説明したように、この発明のは、簡単かつコンパクトに、閃光発光手段および長時間発光可能な発光手段から照射される照射光の照度低下を可及的に低減するようにした発光装置に適している。    
【図面の簡単な説明】
【００３０】
【図１】図１はこの発明に係る発光装置を適用したデジタルカメラの正面図。
【図２】図２は図１の要部ＡＡ拡大断面図で、特にこの発明に係る発光装置を概念的に示した断面図。
【図３】図３はこの発明に係る発光装置の作用を示す断面図。
【図４】図４はこの発明に係る発光装置の作用を示す断面図。
【図５】図５はこの発明に係る発光装置の他の実施例を示す断面図。
【図６】図６はこの発明に係る発光装置の他の実施例を示す断面図。
【図７】図７は従来の発光装置を適用したデジタルカメラの正面図。
【符号の説明】
【００３１】
２…閃光発光手段
３…発光手段（ＬＥＤ発光手段）
１０…発光装置
１１…発光窓
１２…反射手段
１３…プリズム
１３ａ…第１のプリズム反射面
１３ｂ…第２のプリズム反射面
１４…反射板（蒸着面）  
１４ａ…第１の反射面
１４ｂ…第２の反射面
Ｂ，Ｃ…照射光
【図１】
2007065173.tif 000003
【図２】
2007065173.tif 000004
【図３】
2007065173.tif 000005
【図４】
2007065173.tif 000006
【図５】
2007065173.tif 000007
【図６】
2007065173.tif 000008
【図７】
2007065173.tif 000009